(57)【要約】      （修正有）【課題】物品の盗難や不正持出しを防止する。【解決手段】物品（１４）に非接触タグが装着され、それを感知するために２つ以上のアンテナ（１）（３）（５）やゲート（７）（９）が設置され、コンピュータは非接触タグとアンテナやゲートの相関関係を管理している。非接触タグが破壊、遮蔽、データ改竄された場合、コンピュータは相関関係の変化から非接触タグに何らかの異常が発生したことを検出し、物品の盗難や不正持ち出しの可能性があると判断してその状況を通知する。また複数の構成物（１４）（１６）からなる物品に複数の非接触タグ（１５）（１７）が装着され、コンピュータにそれらの非接触タグの相関関係が登録され、相関関係が崩れた場合、コンピュータは物品の一部が部分持ち出しされた可能性があると判断してその状況を通知する。【選択図】図２
2006127442.tif 000002
【特許請求の範囲】
【請求項１】
物品を監視する領域に、２つ以上の非接触タグ検出用アンテナやゲートを隣接して設置し、それらのアンテナやゲートが相互に連携しながら物品に装着された非接触タグを検出し、その検出情報をもとに制御装置経由でコンピュータが非接触タグとアンテナやゲートの相関関係を監視し、相関関係に何らかの異常が検出された場合に、物品の盗難や不正持出しの可能性があるとして、その状況を通知する仕組み。
【発明の詳細な説明】
【技術分野】
【０００１】  この発明は、非接触タグと複数のアンテナやゲートの相関関係を利用した、盗難や不正持ち出しを防止する仕組みに関するもの。
【技術背景】
【０００２】  従来、非接触タグを利用した盗難防止の仕組みがあった。これは物品に非接触タグを装着し、未処理の物品を盗難防止ゲートの外に持ち出そうとするとアラームがなり、盗難を防止しようとするもの。
【発明の開示】
【発明が解決しようとする課題】
【０００３】  これは次のような欠点があった。
（イ）非接触タグが物理的または電気的に破壊されたり電磁波遮蔽物などで遮蔽されたり、また非接触タグに保有されているデータが改竄されたりした場合、盗難防止ゲートで非接触タグを検出することが出来ず、盗難防止機能が失われてしまった。
（ロ）ケースに物品が収納されている場合のように、物品が２つ以上の構成物からなる場合、構成物の一部が部分持ち出しされても、その状況を検出することが出来なかった。
本発明はこれらの欠点を解消するためになされたものである。
【課題を解決するための手段】
【０００４】  物品を監視する領域に、２つ以上のアンテナやゲートを隣接して設置し、アンテナやゲートが相互に連携しながら物品に装着された非接触タグを検出し、その検出情報をもとに制御装置経由でコンピュータが非接触タグとアンテナやゲートとの相関関係を監視し、相関関係に何らかの異常が検出された場合に、物品の盗難や不正持出しの可能性があるとして、以下のようにその状況を通知する仕組み。なお、制御装置とコンピュータが一体となる場合もある。
（イ）図１に示すように、物品（１４）に非接触タグＡ（１５）が装着されている。正常時にはアンテナＡ（１）により検出されていた非接触タグＡ（１５）が、ある時点で正しく検出されなくなり、かつ隣接するアンテナＢ（３）Ｃ（５）やゲートＤ（７）Ｅ（９）の何れからも検出されなかった場合、コンピュータ（１３）は非接触タグＡ（１５）が電気的や物理的に破壊されたり、電磁波遮蔽物で遮蔽されたり、また非接触タグに保有されているデータが改竄されたりして、非接触タグＡ（１５）に何らかの異常が発生し、物品（１４）の盗難や不正持ち出しの可能性があると判断し、注意を喚起する。
（ロ）図２に示すように、本体（１４）とそのケース（１６）のように２つ以上の構成物からなる物品において、それぞれに非接触タグＡ（１５）とＢ（１７）が装着され、コンピュータにそれらの非接触タグの相関関係が事前に登録されている。正常時にはアンテナＡ（１）が同時に非接触タグＡ（１５）とＢ（１７）を検出しているが、ある時点で非接触タグＡ（１５）またはＢ（１７）の何れかを検出できなくなり、かつ隣接するアンテナＢ（３）Ｃ（５）やゲートＤ（７）Ｅ（９）の何れかにおいて非接触タグＡ（１５）またはＢ（１７）の何れかが新たに検出された場合、コンピュータはそれらの非接触タグの相関関係が崩れたため、本来一緒になって存在しているべき物品（１４）または物品ケース（１６）の何れかが部分持ち出しされた可能性があると判断し、注意を喚起する。
本発明は、以上のような仕組みにより、盗難や不正持出しを防止するためのものである。
【発明の効果】
【０００５】  本発明は上記のような仕組みで、これを使用することにより、物品（１４）に装着された非接触タグ（１５）が物理的や電気的に破壊されたり電磁波遮蔽物により遮蔽され、また非接触タグに保有されているデータが改竄されたりして、アンテナやゲートが非接触タグを正しく検出できなくなった時点で、コンピュータは非接触タグに異常が発生した状況を把握し注意を喚起して、盗難防止や不正持出しへの対応策を打つことができる。また複数の構成物（１４）（１６）からなる物品において、その一部が部分持ち出しされた場合に、コンピュータがその状況を把握し注意を喚起して、盗難や不正持ち出しへの対応策を打つことができる。
【発明を実施するための最良の形態】
【０００６】  以下、本案の実施の形態について説明する。
管理対象となる物品に非接触タグが貼付され、検知領域が互いに連続して接するように２つ以上のアンテナやゲートが隣接して設置され非接触タグを感知し、それらのアンテナやゲートは制御装置経由でコンピュータに接続され、コンピュータは非接触タグとアンテナやゲートの相関関係を管理している。非接触タグに発生した物理的や電気的な破壊や、電磁波遮蔽物による遮蔽、保有されているデータの改竄などによる相関関係の崩れにより、物品の盗難や不正持出しを検出したり、複数の非接触タグの相関関係の崩れによる物品の分割移動を検出できるようにする。なお、制御装置とコンピュータが一体となる場合もある。
（イ）物品（１４）に非接触タグＡ（１５）が装着され、かつ２つ以上のアンテナＡ（１）Ｂ（３）Ｃ（５）やゲートＤ（７）Ｅ（９）が隣接して設置され、正常時に何れかのアンテナ、例えばアンテナＡ（１）が非接触タグＡ（１５）をアンテナＡ感知領域（２）に検出し、その情報をもって制御装置経由でコンピュータがその存在状態を認識している。ある時点で、アンテナＡ（１）がそれまで検出していた非接触タグＡ（１５）を正しく検出できなくなり、かつ隣接するアンテナＢ（３）Ｃ（５）やゲートＤ（７）Ｅ（９）の何れもが非接触タグＡ（１５）を正しく検出していない場合、制御装置は非接触タグＡ（１５）に対して何らかの物理的や電気的な破壊や、電気的遮蔽物による遮蔽が行われ、また非接触タグに保有されているデータが改竄されたことにより、非接触タグＡ（１５）を正しく検出できない状態に陥ったと判断して、その状況や発生位置などを通知する。
（ロ）２つ以上の構成物から構成される物品において、例えばケース（１６）に本体（１４）が格納され、それぞれに非接触タグＡ（１５）およびＢ（１７）が装着され、コンピュータにそれらの非接触タグの相関関係が事前に登録されており、正常時にアンテナＡ（１）が非接触タグＡ（１５）およびＢ（１７）の双方をアンテナＡ感知領域（２）に検出し、その情報をもって制御装置経由でコンピュータがそれらの非接触タグが同一アンテナの感知領域内にあることを確認している。ある時点で、本体（１４）がケース（１６）から取り出され移動された場合、アンテナＡ（１）はアンテナＡ感知領域（２）に非接触タグＢ（１７）を検出しているが、非接触タグＡ（１５）は検出できなくなり、かつ隣接するアンテナＢ（３）Ｃ（５）やゲートＤ（７）Ｅ（９）の何れかが検出した場合、コンピュータはタグとアンテナの相関関係の崩れから、ケースから本体が部分持ち出されたと判断して、その状況や発生位置などを通知する。
【図面の簡単な説明】
【０００７】
【図１】本発明で、非接触タグが破壊や遮蔽、保有するデータの改竄により、正しく機能しなくなったことを検出する場合の平面図である。
【図２】本発明で、物品の一部が部分持ち出しされたことを検出する場合の平面図である。
【符号の説明】
【０００８】    １  アンテナＡ          ２  アンテナＡ感知領域
３  アンテナＢ          ４  アンテナＢ感知領域
５  アンテナＣ          ６  アンテナＣ感知領域
７  ゲートＤ            ８  ゲートＤ感知領域
９  ゲートＥ          １０  ゲートＥ感知領域
１１  接続ケーブル      １２  制御装置
１３  コンピュータ      １４  物品
１５  非接触タグＡ      １６  ケース
１７  非接触タグＢ
【図１】
2006127442.tif 000003
【図２】
2006127442.tif 000004